(57)【特許請求の範囲】
【請求項１】
耐薬品性材料からなるカセット本体と板状体の蓋とを具備してなり、前記カセット本体が上面を開放し、検体を収容し得る方形の容器で、多数の透孔を有し、前記蓋がカセット本体に着脱自在に取り付けられ、多数の透孔を有してなる医療検査用カセットにおいて、前記蓋の表面の縦、横の中心線にわたって空間部形成用突起を設けるとともに、空間部形成用突起により区画される４つの領域内にそれぞれ補助突起を設けたことを特徴とする医療検査用カセット。
【請求項２】
空間部形成用突起を断続的に設けた請求項１記載の医療検査用カセット。
【請求項３】
カセット本体が仕切璧により複数個の小室に区画されている請求項１又は２記載の医療検査用カセット。
【請求項４】
蓋及び／又はカセット本体が耐薬品性の透明材料からなる請求項１〜３のいずれか１項に記載の医療検査用カセット。
【請求項５】
透明材料がポリプロピレン樹脂である請求項１〜４のいずれか１項に記載の医療検査用カセット。
【請求項６】
透明材料がポリエステル樹脂である請求項１〜５のいずれか１項に記載の医療検査用カセット。
【発明の詳細な説明】
【技術分野】
【０００１】
本発明は、医療検査用顕微鏡標本の作製に使用する医療検査用カセットに関し、更に詳しくは、蓋の表面に空間部形成用突起を設け、カセットを積み重ねて、又は並接して薬液処理を施す際の薬液の透過性を改良した医療検査用カセットに関する。
【背景技術】
【０００２】
従来のこの種のカセットは、例えば、図７に示すように、耐薬品性合成樹脂からなるカセット本体１と蓋２とを具備してなる。カセット本体１は、上面を開放した方形の容器で、底部に多数の透孔３を有し、短辺側の一側壁の外側に底部に向かって末広がり状に傾斜した板状の記録部４を設け、その内側に係止溝５を有し、他の側壁の外側に係止部６を有する。
【０００３】
蓋２は、着脱可能な板状体で、板面に多数の透孔７を有し、裏面の外周面に沿ってカセット本体内に嵌合するリブ８を有し、短辺側の一方側には前記係止溝５の記録部４の裏面に沿って嵌入係合する傾斜状係止片９を有し、短辺側の他方側にはカセット本体１よりも僅かに大き目の突縁部１０を有し、係合部６と係合する係止片１１を有している（例えば、特許文献１参照）。
【０００４】
上記カセットを使用して顕微鏡標本を作製するには、まず、採取した検体１２をカセット本体１内に収容して蓋２を取り付け、記録部４に被検者の氏名等を記録しておく。蓋２の傾斜状係止片９は、カセット本体１の係止溝5 に係合し、また係止片１１はカセット本体１の係止部６に係合して蓋２を固定する。
【０００５】
続いて、透孔７、３を通じて、検体１２を水洗し、次いでアルコールにより検体１２の水分を除去し、キシレンにより後述する液状パラフィンとの親和性を付与する。
次に、図示しないが、検体１２を包埋したパラフィンがカセット本体１の底部に付着してなるカセットブロックを得、ミクロトームでパラフィンの検体１２を包埋した部分をスライスし、スライスした薄片に染色、その他の所定の処理を施すことにより顕微鏡標本を得るのである。
【０００６】
しかしながら、カセットは、通常、複数個を積み重ねたり並接して上記した薬液処理がなされるが、図７に示したような従来のカセットの場合は、上部又は隣のカセットの底面と下部又は隣のカセットの蓋の表面とが密着するため、上部又は隣のカセットの蓋２の透孔７及びカセット本体１の透孔３を透過した薬液がそのまま下部又は隣のカセットの蓋２の透孔７からカセット本体１内に流入して検体１２を処理した後、カセット本体１の透孔３から更に下部又は隣のカセットの蓋２の透孔７よりカセット本体１内に流入するという操作を繰り返すことになり、したがって、薬液の透過は略一方方向のみとなり、薬液処理は必ずしも十分に効率的であるとは云い難い。
【０００７】
上記問題を解決するために、図８に示すように、蓋の表面の外側（図８では四隅）に識別表示１３を突設し、カセットを積み重ねた場合や並接した場合に、該識別表示１３によりカセット間に空間部を形成させ、この空間部からも薬液をカセット内に流入させることにより、薬液の透過性を改善したカセットが報告されているが、上記の如く、蓋２の外側のみに識別表示１３のような突起を設けた場合は、図９〜１１に示すように、積み重ねたカセットが少しずれただけで、上位カセットの上下又は左右のいずれかの側が下位カセットの突起上から滑落し、空間部形成の機能を果たすことができず、従って、薬液透過性は低下することが避けられない。また、脱落している側と脱落していない側とで空間部Ｓの大きさが異なるために薬液透過量に不均一が生じ、その結果、均一な薬液処理が不可能となるという問題をはらんでいる。さらに、これらの問題は、カセットを並接して薬液処理を施す場合にも生じる。
【先行技術文献】
【特許文献】
【０００８】
【特許文献１】特開２００２−５８００号公報（図２９、図１参照）
【発明の概要】
【発明が解決しようとする課題】
【０００９】
本発明は、上記の如き欠点を解消し、積み重ねたカセットや並接したカセットがずれてもカセットとカセットとの間に空間部が形成され、一方方向からのみならず、積み重ねた又は並接したカセットとカセットとの間からも薬液を流入させることにより、薬液処理が均一で且つ処理効率が改善された医療検査用カセットを提供することを目的とするものである。
【課題を解決するための手段】
【００１０】
上記目的を達成するために、本発明の請求項１に係る発明は、耐薬品性材料からなるカセット本体と板状体の蓋とを具備してなり、前記カセット本体が上面を開放し、検体を収容し得る方形の容器で、多数の透孔を有し、前記蓋がカセット本体に着脱自在に取り付けられ、多数の透孔を有してなる医療検査用カセットにおいて、前記蓋の表面の縦、横の中心線にわたって空間部形成用突起を設けるとともに、空間部形成用突起により区画される４つの領域内にそれぞれ補助突起を設けたことを特徴とする医療検査用カセットを内容とする。
【００１１】
本発明の請求項２に係る発明は、空間部形成用突起を断続的に設けた請求項１記載の医療検査用カセットである。
【００１２】
本発明の請求項３に係る発明は、カセット本体が仕切璧により複数個の小室に区画されている請求項１又は２記載の医療検査用カセットである。
【００１３】
本究明の請求項４に係る発明は、蓋及び／又はカセット本体が耐薬品性の透明材料からなる請求項１〜３のいずれか１項に記載の医療検査用カセットである。
【００１４】
本究明の請求項５に係る発明は、透明材料がポリプロピレン樹脂である請求項１〜４のいずれか１項に記載の医療検査用カセットである。
【００１５】
本究明の請求項６に係る発明は、透明材料がポリエステル樹脂である請求項１〜５のいずれか１項に記載の医療検査用カセットである。
【発明の効果】
【００１６】
本発明の医療検査用カセットによれば、積み重ねた場合や並接した場合において、上下のカセットに例えば５０％近い大きなずれが生じても、蓋に設けた空間部形成用突起によりカセットとカセットとの間に均一な空間部（スペース）が形成・維持されるので、薬液処理の際の薬液の透過性、拡散性、及び検体との接触性が飛躍的に高められ均一、且つ効率的な薬液処理が可能となる。
【図面の簡単な説明】
【００１７】
【図１】図１（ａ）は本発明の実施例１におけるカセットを示す斜視図であり、（ｂ）は本発明の実施例２におけるカセットを示す斜視図である。
【図２】図２は実施例１のカセットの長さ方向の断面図である。
【図３】図３は同カセットが長さ方向にずれた状態を示す側面図である。
【図４】図４は同カセットが長さ方向に逆にずれた状態を示す側面図である。
【図５】図５は同カセットが巾方向にずれた状態を示す側面図である。
【図６】図６は同カセットが長さ方向、巾方向、斜め方向にずれた状態を上面から示す図面である。
【図７】図７は従来のカセットの一例を示す断面図である。
【図８】図８は従来のカセットの他の例を示す斜視図である。
【図９】図９は同カセットが長さ方向にずれた状態を示す側面図である。
【図１０】図１０は同カセットが逆の長さ方向にずれた状態を示す側面図である。
【図１１】図１１は同カセットが巾方向にずれた状態を示す側面図である。
【発明を実施するための形態】
【００１８】
本発明は、耐薬品性材料からなるカセット本体と蓋とを具備してなり、カセット本体が上面を開放し、検体を収容し得る方形の容器で、多数の透孔を有し、前記蓋がカセット本体に着脱自在に取り付けられ、多数の透孔を有してなる医療検査用カセットにおいて、前記蓋の表面の縦、横の中心線にわたって空間部形成用突起を設けるとともに、空間部形成用突起により区画される４つの領域内にそれぞれ補助突起を設けたことを特徴とするものである。そして上記空間部形成用突起及び補助突起は、カセットを積み重ねたり並接した場合において、カセットとカセットとの間に薬液を透過させるための空間部を形成させるためのものである。
【００１９】
本発明において、空間部形成用突起は板状体の蓋の表面の縦、横の中心線にわたって交叉状に設けられる。また、空間部形成用突起により区画される４つの領域内には、それぞれ補助突起が設けられる。
【００２０】
空間部形成用突起は、連続的に設けても、断続的に設けてもよいが、蓋の表面に平行な方向の薬液の流動性を妨げない観点からは、断続的に設けるのが好ましい。
【００２１】
また、空間部形状用突起は、蓋の透孔を塞がないように透孔と透孔との間に設けるのが好ましい。空間部形成用突起は、連続的に設ける場合は、断面が半円形、半楕円形、半矩形、半多角形等のロッド状のものでよく、また、断続的に設ける場合は、半球状、半楕円球状、矩形柱状等の突起を適宜間隔を置いて列設すればよい。
【００２２】
空間部形成用突起及び補助突起の高さは好ましくは、少なくとも０．３ｍｍの高さ、より好ましくは、少なくとも０．５ｍｍの高さで設けられる。空間部形成用突起が０．３ｍｍよりも低くなると、カセットとカセットとの間に形成される空間部が小さくなり薬液の透過性の改善効果が不十分となる。尚、空間部形成用突起の高さの上限は、カセットの大きさにより一概には規定できないが、余り高くなると積み重ねたり並接した場合に場所をとり、処理効率が低下するとともに、取り扱い性も悪くなる。従って、１０ｍｍ程度が好ましい。
【００２３】
本発明のカセットの材料は、標本作成に使用する化学薬品に対して耐性を有する合成樹脂や金属が好ましく、例えば、ポリアセタール、ポリアミド、ポリカーボネート、ポリエステル、ポリプロピレン、ステンレス等が挙げられる。
また、カセット本体を樹脂で作り、蓋を金属で作ることもでき、更に、その逆も可能である。
【００２４】
また、カセット本体、蓋のいずれかが、又はその両方が透明材料で作成されることにより、蓋のみが透明材料からなる場合は蓋の外側から、また、カセット本体のみが透明材料からなる場合は、カセット本体（側壁又は底部）の外側から、更に、カセット本体と蓋の両方が透明材料からなる場合は、カセット本体及び蓋の両方の外側から、内部の検体の状況を視認することができる。即ち、カセット内部に収容した検体の状況（大きさ、個数、形状、色、カセット本体内での存在位置、濾紙とともに検体を収容した場合は、濾紙の位置、濾紙上の検体の方向等）を明確に視認することができ、顕微鏡標本作成の効率化、確実化を図るとともに、精度の高い検査結果を得ることができる。
【００２５】
透明材料としては、例えば、ポリプロピレン樹脂、ポリエステル（特にＰＥＴ）樹脂が好適であり、とりわけ耐薬品性に優れ低コストという点からポリプロピレン樹脂が好適である。
【００２６】
さらにまた、カセット本体を仕切壁で区画して複数個の小室にすることにより、同時に複数個の検体が処理されるので極めて効率的である。しかし、前記したように、既存のミクロトーム等の装置を使用する場合には、カセットの大きさに自ら制約があり、従って、複数個の小室を設ける場合は、２〜９個程度が好ましい。９個を越えると、小室のサイズが小さくなり過ぎ、収容、処理する検体のサイズも制限され不都合な場合がある。
【００２７】
以下、本発明の実施例を示す図面に基づいて詳細に説明するが、本発明はかかる実施例のみに限定されないことは云うまでもない。
【実施例】
【００２８】
実施例１
実施例１の医療検査用カセットは、図１（ａ）、図２に示すように、耐薬品性材料からなるカセット本体１と板状体の蓋２とを具備してなり、カセット本体１が、上面を開放した、検体を収容し得る方形の容器で、多数の透孔３を有し、短辺側の一側壁の外側に底部に向かって末広がり状に傾斜した板状の記録部４を備えるとともに、その内側に係止溝５を有し、他の側壁の外側に係止部６を有してなる。
【００２９】
一方、蓋２は多数の透孔７を有し、裏面の外周面に沿ってカセット本体１内に嵌合するリブ８を有し、短辺側の一方側には前記係止溝５に記録部４の裏面に沿って嵌入係合する傾斜状係止片９を、他方側にはカセット本体１よりも僅かに大き目の突縁部１０を有し、前記係止部６と係合する係止片１１を有してなる。
【００３０】
さらに、蓋２の表面には、縦方向の中心線付近の透孔７のリブ上に空間部形成用突起１４が、また、横方向の中心線付近の透孔７のリブ上に、前記突起１４に十字状に空間部形成用突起１５が断続的に設けられ、全体として交叉状の空間部形成用突起を形成しているとともに、十字状の空間部形成用突起１４、１５により区画される４つの領域内に、それぞれ１個の補助突起２１を設けている。
【００３１】
また、図２に示したように、カセット本体１の内部には採取した検体を区分して入れられるように、２条の仕切壁１６が立設され、３個の小室が形成されている。必要に応じ、さらに該２条の仕切壁１６と直交するようにカセット本体１の長辺方向に１条又は２条の横仕切壁１７を設けて小室を６個又は９個設けることができる。
【００３２】
このように  蓋２の表面の縦方向、横方向の中心線に沿って、十字状を形成するように空間部形成用突起１４、１５を交叉状に設けることにより、図３〜図６に示すように、積み重ねた又は並接したカセットが長辺方向、短辺方向にずれたとしても、カセットとカセットとの間には交叉する空間部形成用突起１４、１５及び補助突起２１が介在することにより、該突起１４、１５及び補助突起２１の高さに相当する空間部Ｓが形成されるため、従来のカセットのように縦方向からのみの一方方向や不均一なものではなく、横方向からの均一な薬液の流入・透過が可能となり、検体の薬液処理効果を均一且つ効率的にすることが可能となる。
尚、図６において、長辺方向、短辺方向、斜め方向のずれを、それぞれ一点鎖線のＡ１、Ｂ１、Ｃ１、Ｄ１、波線のＡ２、Ｂ２、Ｃ２、Ｄ２、二点鎖線のＡ３、Ｂ３、Ｃ３、Ｄ３で示す。
以上のように、空間部形成用突起１４、１５を、蓋２の縦、横の中心線にわたってに交叉状に設けるとともに、空間部形成用突起により区画される４つの領域内にそれぞれ補助突起２１を設けることにより、長辺方向、短辺方向、斜め方向のいずれの方向に５０％近くずれたとしてもカセット間では均一な空間部Ｓが形成確保され、均一な薬液の流入・透過が可能となり、均一且つ効率的に薬液処理がなされ、検査精度が高められる。
【００３３】
実施例２
実施例２の医療検査用カセットは、図１（ｂ）に示すように、補助突起２１の向きが実施例１と９０度異なっているが、作用効果は殆ど同じである。
【００３４】
本発明は医療検査用カセットの板状体の蓋の表面の少なくとも縦、横の中央部に空間部形成用突起を設けるとともに、空間部形成用突起により区画される４つの領域内にそれぞれ補助突起２１を設けたことを特徴とし、とりわけ、空間部形成用突起を断続的に設けたことを特徴とするものであるが、本発明は上記実施例で示した如き形状のカセットに限られず、蓋とカセット本体とからなる全てのカセットに適用可能であることは云うまでもない。
【産業上の利用可能性】
【００３５】
本発明に係る医療検査用カセットは、積層、並接したカセットに相当大きなずれが生じても、板状体の蓋の上面に設けた空間部形成用突起からずれ落ちることがなく、従って、積み重ねられた上下のカセット間に又は並接された隣り同士のカセット間に均一な空間部を形成・維持することができ、薬液の透過性、拡散性、及び検体との接触性が飛躍的に高められ、均一且つ効率的な薬液処理が可能となり、検査精度を向上させることができる。
【符号の説明】
【００３６】
１  カセット本体
２  蓋
３  透孔
４  記録部
５  係止溝
６  係止部
７  透孔
８  リブ
９  傾斜状係止片
１０  突縁部
１１  係止片
１２  検体
１３  識別表示
１４  空間部形成用突起
１５  空間部形成用突起
１６  仕切壁
１７  横仕切壁
２１  補助突起
【図１】
0004659104.tif 000002
【図２】
0004659104.tif 000003
【図３】
0004659104.tif 000004
【図４】
0004659104.tif 000005
【図５】
0004659104.tif 000006
【図６】
0004659104.tif 000007
【図７】
0004659104.tif 000008
【図８】
0004659104.tif 000009
【図９】
0004659104.tif 000010
【図１０】
0004659104.tif 000011
【図１１】
0004659104.tif 000012